(57)【要約】【課題】安価で低雑音のハーネスを製造することができ、在庫の管理が容易であるツイストペア線、該ツイストペア線を複数備えるハーネス、及び該ツイストペア線の製造方法の提供。【解決手段】ツイストペア線３は、一対の電線を構成する電線３０ａ，３０ｂを有し、電線３０ａ，３０ｂは撚り合わされている。ツイストペア線３は、撚り合わせの間隔が、第１間隔ｄ１である第１部分と、第１間隔ｄ１とは異なる第２間隔ｄ２である第２部分とによって形成される。ここで、第１部分及び第２部分の長さは略同じである。ツイストペア線４はツイストペア線３と同様に構成される。ツイストペア線３，４は、ツイストペア線３の第１部分及び第２部分夫々がツイストペア線４の第２部分及び第１部分に隣り合うように、配置される。【選択図】図１
2013026139.tif 000002
【特許請求の範囲】
【請求項１】
一対の電線が撚り合わされたツイストペア線において、
撚り合わせの間隔が、第１間隔である第１部分と、前記第１間隔とは異なる第２間隔である第２部分とによって形成され、
前記第１部分及び第２部分の長さが略同じであること
を特徴とするツイストペア線。
【請求項２】
請求項１に記載のツイストペア線を複数備え、
各ツイストペア線の前記第１部分は他のツイストペア線の前記第２部分と隣り合うこと
を特徴とするハーネス。
【請求項３】
撚り合わされた一対の電線の両端夫々に共通のコネクタが接続されたツイストペア線の製造方法において、
可塑性を有する直線状の一対の電線における両端夫々に前記コネクタを接続し、
該一対の電線の長手方向の中心部を固定し、
一方のコネクタを第１回数だけ一方向に回転させ、
他方のコネクタを該第１回数とは異なる第２回数だけ他方向に回転させること
を特徴とするツイストペア線の製造方法。
【発明の詳細な説明】
【技術分野】
【０００１】
本発明は、通信装置間の配線に使用されるツイストペア線、該ツイストペア線を複数備えるハーネス、及び、該ツイストペア線の製造方法に関する。
【背景技術】
【０００２】
現在、車両の高機能化に伴って、車両には多種多様な電子機器を制御するＥＣＵ（Electronic Control Unit）が搭載されている。各ＥＣＵは、一対の電線が撚り合わさったツイストペア線に接続されており、ツイストペア線を介して他のＥＣＵと通信している。
【０００３】
更に、複数のツイストペア線は、複数のＥＣＵへの配線を容易にするために束ねられ、ハーネスとして使用されている。このため、一のツイストペア線に電流が流れて電磁波が発生した場合、発生した電磁波によって、一のツイストペア線に近接する他のツイストペア線に電流が流れ、他のツイストペア線を伝送する信号に雑音が重畳する。
【０００４】
非特許文献１には複数のツイストペア線間で発生する雑音が低い従来のハーネスが記載されている。図３は従来のハーネスの要部構成を示すブロック図である。従来のハーネス６は２つのツイストペア線７，８を備えている。ツイストペア線７は、電線７０ａ，７０ｂを有し、電線７０ａ，７０ｂは撚り合わされている。同様に、ツイストペア線８も、電線８０ａ，８０ｂを有し、電線８０ａ，８０ｂは撚り合わされている。電線７０ａ，７０ｂの撚り合わせの間隔と、電線８０ａ，８０ｂの撚り合わせの間隔とは異なっている。
【０００５】
電線７０ａ，７０ｂ間に電圧を印加してツイストペア線７に信号を伝送させた場合、電線７０ａ，７０ｂ夫々に流れる電流の方向は互いに逆である。電線７０ａ，７０ｂ夫々に電流が流れた場合、アンペールの法則に従って、電流の方向に対して右回りの方向に磁界が発生し、発生した磁界は、電線８０ａ，８０ｂの撚り合わせによって形成される環と鎖交する。
【０００６】
このとき、電線７０ａ，７０ｂ夫々に流れる電流の方向が互いに逆であるため、電線７０ａ，７０ｂ夫々に電流が流れることによって発生する磁界の方向は互いに逆になる。磁界が電線８０ａ，８０ｂの撚り合わせによって形成される環と鎖交した場合、鎖交した磁界の方向に対して環の右回りの方向に雑音電流が流れる。
【０００７】
電線７０ａ，７０ｂ夫々に電流が流れることによって発生する磁界の方向は互いに逆であるため、電線８０ａ，８０ｂの撚り合わせによって形成される環に流れる雑音電流の方向は、環と鎖交する磁界が電線７０ａ，７０ｂのいずれに電流が流れたことによって発生した磁界であるかによって異なる。
【０００８】
電線８０ａ，８０ｂ夫々において、電線７０ａに近接する部分は、電線７０ａに電流が流れることによって発生する磁界の影響を受け、電線７０ｂに近接する部分は、電線７０ｂに電流が流れることによって発生する磁界の影響を受ける。
【０００９】
従って、電線７０ａ，７０ｂ夫々に近接する電線８０ａの部分を流れる雑音電流の方向は互いに逆になり、同様に、電線７０ａ，７０ｂ夫々に近接する電線８０ｂの部分を流れる雑音電流の方向も互いに逆になる。
【００１０】
従来のハーネス６では、電線７０ａ，７０ｂの撚り合わせの間隔と、電線８０ａ，８０ｂの撚り合わせの間隔とが異なるため、電線８０ａには電線７０ａ，７０ｂ夫々が近接する部分があり、電線８０ｂにも電線７０ａ，７０ｂ夫々が近接する部分がある。従って、電線７０ａ，７０ｂ夫々に電流が流れて電磁波が発生した場合、電線８０ａ，８０ｂ夫々において、互いに逆向きに流れる雑音電流が発生し、発生した雑音電流が互いに打消し合う。
【００１１】
同様に、ツイストペア線８に信号を伝送させてツイストペア線８から電磁波が発生した場合、電線７０ａ，７０ｂ夫々において互いに逆向きに流れる雑音電流が発生し、発生した雑音電流が互いに打消し合う。
従って、ハーネス６においてツイストペア線７，８間で発生する雑音は低い。
【先行技術文献】
【非特許文献】
【００１２】
【非特許文献１】戸根  勤  著、「ネットワークはなぜつながるのか」、第２版、日経ＢＰ社、２００７年４月、ｐ．１９８−２０１
【発明の概要】
【発明が解決しようとする課題】
【００１３】
しかしながら、非特許文献１に記載のハーネスは、撚り合わせの間隔が異なる２種類のツイストペア線が必要であるため、製造費用が高く、在庫の管理が難しいという問題がある。
【００１４】
本発明は斯かる事情に鑑みてなされたものであり、その目的とするところは、安価で低雑音のハーネスを製造することができ、在庫の管理が容易であるツイストペア線、該ツイストペア線を複数備えるハーネス、及び該ツイストペア線の製造方法を提供することにある。
【課題を解決するための手段】
【００１５】
本発明に係るツイストペア線は、一対の電線が撚り合わされたツイストペア線において、撚り合わせの間隔が、第１間隔である第１部分と、前記第１間隔とは異なる第２間隔である第２部分とによって形成され、前記第１部分及び第２部分の長さが略同じであることを特徴とする。
【００１６】
本発明にあっては、第１部分と第２部分とにおいて、撚り合わせの間隔が異なり、第１部分及び第２部分の長さが略同じである。
【００１７】
これにより、第１部分と第２部分とが隣り合うように、複数を束ねてハーネスを製造することができる。この場合、撚り合わせの間隔が同じ部分が隣り合わないため、信号を伝送させた場合に発生する雑音が低い。また、複数の種類を製造する必要はないため、ハーネスの製造費用が低く、在庫の管理が容易になる。
【００１８】
本発明に係るハーネスは、前述のツイストペア線を複数備え、各ツイストペア線の前記第１部分は他のツイストペア線の前記第２部分と隣り合うことを特徴とする。
【００１９】
本発明にあっては、各ツイストペア線の第１部分は他のツイストペア線の第２部分と隣り合うように、複数のツイストペア線が束ねられるため、撚り合わせの間隔が同じ部分が隣り合わない。これにより、複数のツイストペア線に信号を伝送させた場合に発生する雑音が低い。また、１種類のツイストペア線で構成されるため、製造費用が低い。
【００２０】
本発明に係るツイストペア線の製造方法は、撚り合わされた一対の電線の両端夫々に共通のコネクタが接続されたツイストペア線の製造方法において、可塑性を有する直線状の一対の電線における両端夫々に前記コネクタを接続し、該一対の電線の長手方向の中心部を固定し、一方のコネクタを第１回数だけ一方向に回転させ、他方のコネクタを該第１回数とは異なる第２回数だけ他方向に回転させることを特徴とする。
【００２１】
本発明にあっては、直線状の一対の電線における両端夫々にコネクタを接続して一対の電線の長手方向の中心部を固定し、一方のコネクタは一方向に第１回数だけ回転させ、他方のコネクタは他方向に第１回数とは異なる第２回数だけ他の方向に回転させる。
【００２２】
一対の電線は、可塑性を有しているので、コネクタの回転によって変えられた形状を保つ。このため、撚り合わせの間隔が異なる２つの部分を形成することができる。
【００２３】
また、技術的に難しい製造工程がないため製造が容易であり、コネクタのより近くに撚り合わせの交差位置を設けることができる。従って、信号を伝送させた場合に、コネクタ近傍で発生する雑音は低い。
【発明の効果】
【００２４】
本発明によれば、撚り合わせの間隔が異なる第１部分及び第２部分によって形成され、第１部分及び第２部分の長さが略同じであるので、安価で低雑音のハーネスを製造でき、容易に在庫を管理することができる。
【図面の簡単な説明】
【００２５】
【図１】本発明に係るハーネスの要部構成を示すブロック図である。
【図２】ツイストペア線の製造方法を説明するための説明図である。
【図３】従来のハーネスの要部構成を示すブロック図である。
【発明を実施するための形態】
【００２６】
以下、本発明をその実施の形態を示す図面に基づいて詳述する。
図１は、本発明に係るハーネスの要部構成を示すブロック図である。このハーネス１は、ＥＣＵ等の一の通信装置が備える送信部２０及び受信部２１、並びに、他の通信装置が備える送信部２２及び受信部２３夫々に着脱可能に接続されている。送信部２０，２２夫々は、イーサネット（登録商標）又はＭＯＳＴ（Media Oriented Systems Transport）等の通信プロトコルに従った信号を、ハーネス１を介して受信部２３，２１に送信する。
【００２７】
ハーネス１はツイストペア線３，４を備えている。ツイストペア線３は、送信部２０及び受信部２３間に接続され、送信部２０は、ツイストペア線３を介して信号を受信部２３に送信する。同様に、ツイストペア線４は、送信部２２及び受信部２１間に接続され、送信部２２は、ツイストペア線４を介して信号を受信部２１に送信する。
【００２８】
ツイストペア線３は、電線３０ａ，３０ｂ及びコネクタ３１，３２を備える。電線３０ａ，３０ｂは、一対の電線を構成し、撚り合わされている。電線３０ａ，３０ｂの両端夫々には共通のコネクタ３１，３２が接続されている。コネクタ３１，３２夫々は送信部２０及び受信部２３に着脱可能に接続されている。
【００２９】
ツイストペア線３は、撚り合わせの間隔が第１間隔ｄ１である第１部分と、撚り合わせの間隔が第１間隔ｄ１とは異なる第２間隔ｄ２である第２部分とによって形成される。第１部分及び第２部分の長さは略同じであり、第１部分及び第２部分の境界はツイストペア線３の長手方向の中心部に位置する。第１間隔ｄ１及び第２間隔ｄ２夫々は例えば１３ｍｍ及び１８ｍｍである。
【００３０】
コネクタ３１は端子３３，３４を備えている。端子３３，３４夫々は電線３０ａ，３０ｂに接続されており、送信部２０に着脱可能に接続されている。送信部２０は端子３３，３４を介して電線３０ａ，３０ｂに信号を出力する。
【００３１】
コネクタ３２は端子３５，３６を備えている。端子３５，３６夫々は、電線３０ａ，３０ｂに接続されており、受信部２３に着脱可能に接続されている。受信部２３は端子３５，３６を介して電線３０ａ，３０ｂから信号を受信する。
【００３２】
ツイストペア線４は、ツイストペア線３と同様の構成であり、電線４０ａ，４０ｂ及びコネクタ４１，４２を備える。電線４０ａ，４０ｂは、一対の電線を構成し、撚り合されている。電線４０ａ，４０ｂの両端夫々には共通のコネクタ４１，４２が接続されている。コネクタ４１，４２夫々は送信部２２及び受信部２１に着脱可能に接続されている。
【００３３】
ツイストペア線４も、電線４０ａ，４０ｂの撚り合わせの間隔夫々が第１間隔ｄ１及び第２間隔ｄ２である第１部分及び第２部分によって形成される。第１部分及び第２部分の長さは略同じであり、第１部分及び第２部分の境界は、ツイストペア線４の長手方向の中心部に位置する。
【００３４】
コネクタ４１は端子４３，４４を備えている。端子４３，４４夫々は電線４０ａ，４０ｂに接続されており、受信部２１に着脱可能に接続されている。受信部２１は端子４３，４４を介して電線４０ａ，４０ｂから信号を受信する。
【００３５】
コネクタ４２は端子４５，４６を備えている。端子４５，４６夫々は、電線４０ａ，４０ｂに接続されており、送信部２２に着脱可能に接続されている。送信部２２は端子４５，４６を介して電線４０ａ，４０ｂに信号を出力する。
【００３６】
ハーネス１では、ツイストペア線３の第１部分及び第２部分夫々がツイストペア線４の第２部分及び第１部分に隣り合うように、ツイストペア線３，４が配置されている。
【００３７】
このため、ツイストペア線３，４について、撚り合わせの間隔が同じ部分が隣り合うことはなく、ツイストペア線３，４間で発生する雑音は低い。また、ハーネス１では、構成が同じツイストペア線３，４が用いられ、構成が異なる複数の種類のツイストペア線を製造する必要がないため、安価にハーネス１を製造することができ、ツイストペア線の在庫を容易に管理することができる。
【００３８】
なお、撚り合わせの間隔が異なり、長さが略同じであるＫ（４以上の偶数）個の部分によって形成されるツイストペア線についても同様の効果が得られる。夫々がＫ個の部分によって形成される複数のツイストペア線でハーネスを構成する場合、複数のツイストペア線は、撚り合わせの間隔が異なる部分が隣り合うように束ねられる。
【００３９】
図２はツイストペア線３の製造方法を説明するための説明図である。ツイストペア線４の製造方法はツイストペア線３の製造方法と同様であるため説明を省略する。
【００４０】
まず、図２Ａに示すように、長さが略同じで直線状の電線３０ａ，３０ｂを、電線３０ａ，３０ｂ夫々の長手方向の中心部で交差するように配置する。
なお、電線３０ａ，３０ｂ夫々は可塑性を有している。このため、電線３０ａ，３０ｂ夫々は、外力を加えられて変形した後に外力が加えられなくなっても、変えられた形状を保つ。
【００４１】
次に、電線３０ａ，３０ｂの両端夫々に共通のコネクタ３１，３２を接続する。具体的には、コネクタ３１の端子３３，３４夫々を電線３０ａ，３０ｂ夫々の一端に接続し、コネクタ３２の端子３５，３６夫々を電線３０ａ，３０ｂ夫々の他端に接続する。更に、電線３０ａ，３０ｂ夫々の長手方向の中心部、即ち電線３０ａ，３０ｂが交差している部分を固定する。
【００４２】
次に、図２Ｂに示すように、コネクタ３１からコネクタ３２への方向に対して一方向、例えば右回りにコネクタ３１を第１回数だけ回転させ、他方向、例えば左回りにコネクタ３２を、第１回数とは異なる第２回数だけ回転させる。
【００４３】
このようにして、図２Ｃに示すように、電線３０ａ，３０ｂを第１間隔ｄ１及び第２間隔ｄ２夫々で撚り合わした第１部分及び第２部分で形成されるツイストペア線３を製造することができる。また、技術的に難しい製造工程を必要としないため、ツイストペア線３を容易に製造することができる。
【００４４】
従来の製造方法、特に、車両に搭載される通信装置間に接続されるツイストペア線の製造方法では、撚り合わされた長尺の一対の電線を所望の長さに切断し、切断した一対の電線の両端部分の撚り合わせをほどき、両端部分夫々にコネクタを接続していた。このため、コネクタから、コネクタに最も近い撚り合わせの交差位置までの距離が、撚り合わせの間隔よりも長い。
【００４５】
このように構成されたツイストペア線を２つ束ねてハーネスを製造した場合、２つのツイストペア線のコネクタ近傍では、近接する電線が長い距離に渡って同じになり、２つのツイストペア線間で発生する雑音が低減されない。
【００４６】
しかしながら、図２を用いて説明した本発明に係るツイストペア線３の製造方法では、直線状の電線３０ａ，３０ｂの両端夫々にコネクタ３１，３２を接続した後に、コネクタ３１，３２を回転させることによって電線３０ａ，３０ｂを撚り合わせる。
【００４７】
このため、コネクタ３１（又はコネクタ３２）から、コネクタ３１（又はコネクタ３２）に最も近い撚り合わせの交差位置までの距離を第１間隔ｄ１（又は第２間隔ｄ２）よりも短くすることができる。
【００４８】
従って、ツイストペア線３と同様の製造方法で製造したツイストペア線４とを、ツイストペア線３の第１部分及び第２部分夫々がツイストペア線４の第２部分及び第１部分と隣り合うように、束ねてハーネス１を製造した場合、コネクタ３１，３２，４１，４２近傍夫々において、ツイストペア線３，４間で発生する雑音は低い。
【００４９】
なお、ツイストペア線３を製造する場合に、直線状の電線３０ａ，３０ｂを交差させて固定したが、直線状の電線３０ａ，３０ｂを平行に配置して直線状の電線３０ａ，３０ｂの長手方向の中心部を固定してもよい。
【００５０】
なお、ハーネス１が備えるツイストペア線は２本に限定されない。ハーネス１は、ツイストペア線３と同様に構成されたツイストペア線を３本以上備えてもよい。この場合、各ツイストペア線の第１部分は他のツイストペア線の第２部分と隣り合うように配置される。
【００５１】
開示された実施の形態は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００５２】
１  ハーネス
３，４  ツイストペア線
３０ａ，３０ｂ，４０ａ，４０ｂ  電線
３１，３２，４１，４２  コネクタ
ｄ１  第１間隔
ｄ２  第２間隔
【図１】
2013026139.tif 000003
【図２】
2013026139.tif 000004
【図３】
2013026139.tif 000005